(57)【要約】【課題】山間地などクレーン車が進入できないような場所においても、鉄塔に新しい送信アンテナを追加して設置できるアンテナの取付方法を提供する。【解決手段】昼間の予備作業時に、鉄塔１１の頂部に仮設架台２１を取付け、既設アンテナ取付柱１２を固定した後、既設アンテナ取付柱１２の上側及び下側の支点支持金物を外す。次に仮設架台２１の上部に取付けたレバーブロック２７ａ、２７ｂにより新設アンテナ取付柱２６を引上げる。この際、新設アンテナ取付柱２６の上部内側に既設アンテナ取付柱１２の下部を挿入し、所定の位置まで引上げて鉄塔１１に固定する。送信を停止した夜間の作業では、新設アンテナ取付柱２６の支持を緩めて既設アンテナ取付柱１２と共に引上げ、既設送信アンテナ１４を所定長さ嵩上げした後、仮設架台２１を撤去する。次に新設送信アンテナ５０を鉄塔１１の頂部に引上げて新設アンテナ取付柱２６の上部に取付ける。【選択図】    図２
2006140939.tif 000002
【特許請求の範囲】
【請求項１】
鉄塔の上部に設置された既設アンテナ取付柱にアンテナが取付けられている状態で、前記鉄塔の上部に新規のアンテナを追加して取付けるアンテナの取付方法において、
前記既設アンテナ取付柱より径が大きく且つ該既設アンテナ取付柱を支持するためのフランジを備えた新設アンテナ取付柱を鉄塔の下方より引上げ、該新設アンテナ取付柱の上部内側に前記既設アンテナ取付柱の下部を挿入し、該既設アンテナ取付柱の下端部を前記フランジに当接させ、前記新設アンテナ取付柱を前記既設アンテナ取付柱と共に引上げて既設アンテナを所定高さ嵩上げし、該嵩上げしたスペースに新規のアンテナを追加して取付けることを特徴とするアンテナの取付方法。
【発明の詳細な説明】
【技術分野】
【０００１】
本発明は、送信アンテナが設置されている既存の鉄塔上に新しい送信アンテナを追加して設置するアンテナの取付方法に関する。
【背景技術】
【０００２】
通信やテレビ放送等で用いられる送信アンテナは、通常、鉄塔上に取付けて使用されるが、鉄塔を有効活用するために、１つの鉄塔にＦＭ放送やテレビ放送用の送信アンテナ等、多数のアンテナを取付けている。
【０００３】
上記テレビ放送では、従来から行なわれているアナログテレビ放送の他にデジタルテレビ放送（ＩＳＤＢ−Ｔ：Terrestrial Integrated Services Digital Broadcasting）が２００３年から関東、近畿及び中京広域圏で開始され、また、２００６年までにその他の地域で放送開始が予定されている。このためデジタルテレビ放送用の送信アンテナを既存の鉄塔に追加して設置することになるが、鉄塔には上記したように既に多数の送信アンテナが取付けられており、デジタルテレビ放送用の送信アンテナを設置する余裕がない状態となっている。
【０００４】
上記のように既存の鉄塔に新しい送信アンテナを追加して設置する余裕がない場合、既存の送信アンテナを現在位置より所定の長さ嵩上げしてアンテナ設置スペースを設け、このスペース部分に新規の送信アンテナを取付けることが考えられる。
【０００５】
従来、鉄塔に取付けられている既存の送信アンテナを新しいアンテナに取替える方法としては、鉄塔の頂部と地上との間に索道を設置し、既設のアンテナを取り外して上記索道により地上に降ろし、その後、新しいアンテナを上記索道により鉄塔頂部に引上げて設置する方法、あるいは鉄塔よりも高く延びる伸縮アームを備えたクレーン車を使用して既設のアンテナを新しいアンテナに取替える方法がある（例えば、特許文献１参照。）。
【特許文献１】特開平８−２２２９２３号公報
【発明の開示】
【発明が解決しようとする課題】
【０００６】
上記のように既存の鉄塔に新しい送信アンテナを追加して設置する場合、従来の索道によるアンテナ取替え方法では、既存のアンテナの嵩上げを行なうことができない。また、クレーン車を使用したアンテナ取替え方法では、伸縮アームよりも高い鉄塔の場合は実施することができない。更に、山間地などクレーン車が進入できないような場所においては、クレーン車を使用することができないという問題がある。
【０００７】
本発明は上記の課題を解決するためになされたもので、山間地などクレーン車が進入できないような場所においても、鉄塔に新しいアンテナを追加して設置することができるアンテナの取付方法を提供することを目的とする。
【課題を解決するための手段】
【０００８】
本発明は、鉄塔の上部に設置された既設アンテナ取付柱にアンテナが取付けられている状態で、前記鉄塔の上部に新規のアンテナを追加して取付けるアンテナの取付方法において、前記既設アンテナ取付柱より径が大きく且つ該既設アンテナ取付柱を支持するためのフランジを備えた新設アンテナ取付柱を鉄塔の下方より引上げ、該新設アンテナ取付柱の上部内側に前記既設アンテナ取付柱の下部を挿入し、該既設アンテナ取付柱の下端部を前記フランジに当接させ、前記新設アンテナ取付柱を前記既設アンテナ取付柱と共に引上げて既設アンテナを所定高さ嵩上げし、該嵩上げしたスペースに新規のアンテナを追加して取付けることを特徴とする。
【発明の効果】
【０００９】
本発明によれば、既存の鉄塔が高くてクレーン車を使用できない場合、あるいは山間地などクレーン車が進入できないような場所においても、既存の鉄塔に仮設架台を設置して既設アンテナ取付柱と共に既設アンテナを所望の長さ分嵩上げし、その嵩上げにより生じたスペースに新しいアンテナを追加して設置することができる。
【発明を実施するための最良の形態】
【００１０】
以下、図面を参照して本発明の一実施形態を説明する。  
図１ないし図３は、鉄塔の上部に設置されている既存のアンテナを現在位置より所定の高さまで嵩上げしてアンテナ設置スペースを設け、このスペース部分に新規のアンテナを取付ける場合の作業工程を示したもので、図１（ａ）はアンテナの取付工事を開始する前の状態、図１（ｂ）ないし図２（ｂ）は、途中の作業工程、図３はアンテナの取付けを完了した状態を示している。なお、上記図１ないし図３は、鉄塔の頂部における状態を示したものである。
【００１１】
図１（ａ）において、１１は既存の鉄塔で、その上端部分に直径が例えば１６．５ｃｍ、長さが５．３ｍ程度の既設アンテナ取付柱１２が支点支持金物（図示せず）により固定されている。すなわち、既設アンテナ取付柱１２は、鉄塔１１の最上端部のＡ部において上側の支点支持金物（図示せず）により支持されていると共に、鉄塔１１の最上端部から所定距離例えば１．５ｍ程度下がった所に設けられている支持構体１３に下側の支点支持金物（図示せず）により下端部が支持されている。
【００１２】
そして、上記既設アンテナ取付柱１２の上端部には、例えばアナログＴＶ放送用の送信アンテナ等の既設送信アンテナ１４が取付けられている。この既設送信アンテナ１４は、例えばダイポールアンテナや双ループアンテナ等のパネル型のアンテナで、既設アンテナ取付柱１２の外周に沿って多面に配置されている。
【００１３】
また、上記鉄塔１１には、主給電線１５が取付けられている。この主給電線１５は、電力分配器１６を介して既設送信アンテナ１４の給電端子に接続される。上記電力分配器１６は、既設送信アンテナ１４の下側近傍に設けられる。
【００１４】
上記鉄塔１１に対して新しいアンテナを取付ける場合、例えば予め昼間時にアンテナ取付けの準備工事を行ない、放送終了後の夜間にアンテナ取付け工事を行なう。
【００１５】
まず、昼間時における準備工事について説明する。  
（１）鉄塔１１の頂部と地上との間に索道（図示せず）を設け、この索道及びウインチを使用して図１（ｂ）に示す仮設架台２１等の資材を鉄塔１１の頂部まで引上げる。  
（２）上記資材を使用して図１（ｂ）に示すように鉄塔１１の頂部に仮設架台２１を取付ける。この仮設架台２１の頂部は、鉄塔１１の頂部より所定長さ例えば１．４ｍ程度高い位置に設定する。  
（３）仮設架台２１の頂部に重量受け金物２２を取付け、既設アンテナ取付柱１２及び既設送信アンテナ１４を固定する。  
（４）鉄塔１１の頂部において既設アンテナ取付柱１２を支持している上側の支点支持金物（図１のＡ部）を外す。
【００１６】
（５）鉄塔１１の上部に既設送信アンテナ１４に対する新しい分岐ケーブル（図示せず）を取付ける。  
（６）上記既設アンテナ取付柱１２の下部を角材２３により鉄塔１１に固定し、既設アンテナ取付柱１２の振れ止め処理を行なう。  
（７）既設アンテナ取付柱１２の下部を鉄塔１１の支持構体１３に固定している下側の支点支持金物（図１のＢ部）を外す。  
（８）鉄塔１１の頂部より例えば２．５ｍ下に支持構体２４を設け、この支持構体２４に新設アンテナ取付柱２６をガイドする円筒状のガイド金物２５を取付ける。このガイド金物２５は、１対の半円筒状のバンドにより構成したもので、ボルト・ナットにより支持構体２４に取付けて新設アンテナ取付柱２６の移動をガイドする。上記支持構体２４の取付け位置は、新設アンテナ取付柱２６の最終的な下端部位置となる。
【００１７】
（９）仮設架台２１の上部、すなわち、鉄塔１１の頂部より上の位置において、２つのレバーブロック２７ａ、２７ｂを対角に取付けると共に、新設アンテナ取付柱２６のほぼ中央部に鋼索２８を取付け、レバーブロック２７ａ、２７ｂにより上記鋼索２８と共に新設アンテナ取付柱２６を引上げる。この場合、新設アンテナ取付柱２６は、上記ガイド金物２５によりガイドされて上方に引上げられる。
【００１８】
上記レバーブロック２７ａ、２７ｂにより新設アンテナ取付柱２６を引上げる際、既設アンテナ取付柱１２の下部が新設アンテナ取付柱２６の上端部から内側に挿入できるようにする。上記新設アンテナ取付柱２６は、詳細を後述するように管状に形成され、且つ、その直径が既設アンテナ取付柱１２の直径より十分に大きく例えば２６．７ｃｍ程度に設定される。すなわち、新設アンテナ取付柱２６は、上部内側に既設アンテナ取付柱１２を挿入でき、且つ十分な強度を持つように設定している。また、新設アンテナ取付柱２６には、上端から内部に挿入された既設アンテナ取付柱１２の下端部に当接して支持するフランジが設けられる。
【００１９】
（１０）更に、図２（ａ）に示すよう新設アンテナ取付柱２６の上部内側に既設アンテナ取付柱１２の下端部を挿入した状態で、レバーブロック２７ａ、２７ｂにより新設アンテナ取付柱２６を引上げる。この場合、上記新設アンテナ取付柱２６は、その最上端が仮設架台２１の頂部に達するまで引上げる。また、このとき詳細を後述するように、新設アンテナ取付柱２６に設けたフランジが既設アンテナ取付柱１２の下端部に当接するように新設アンテナ取付柱２６の長さ、フランジの位置等が設定される。上記の状態で、鉄塔１１の頂部に支持金物２９を取付け、ボルト・ナットを締め付けて新設アンテナ取付柱２６を鉄塔１１に固定する。すなわち、夜間の工事を行なうまで、新設アンテナ取付柱２６を鉄塔１１に一時的に固定する。
【００２０】
（１１）仮設架台２１の頂部で既設アンテナ取付柱１２及び既設送信アンテナ１４を支持していた重量受け金物２２（図１（ｂ）参照）を取り外す。  
図４は、上記新設アンテナ取付柱２６の詳細、及び該新設アンテナ取付柱２６と既設アンテナ取付柱１２との関係を示したものである。新設アンテナ取付柱２６は、上側鋼管３１ａと下側鋼管３１ｂからなり、上側鋼管３１ａの下端部にフランジ３２ａ、下側鋼管３１ｂの上端部にフランジ３２ｂがそれぞれ溶接により取付けられる。上記上側鋼管３１ａと下側鋼管３１ｂは、フランジ３２ａ、３２ｂ部分がボルト・ナットにより接合される。
【００２１】
上記上側鋼管３１ａに設けられるフランジ３２ａは、上側鋼管３１ａの下部周囲だけでなく、上側鋼管３１ａの底部を閉塞するように設けられる。すなわち、上側鋼管３１ａの上部内側に挿入された既設アンテナ取付柱１２の下端部をフランジ３２ａで保持するようにしている。この場合、図２（ａ）に示すように新設アンテナ取付柱２６の上端を仮設架台２１の頂部まで引上げたときに、フランジ３２ａが既設アンテナ取付柱１２の下端部に当接するように上側鋼管３１ａの長さを設定する。
【００２２】
上記上側鋼管３１ａの上端部には、最上端から所定距離下がった位置の周囲に４本のボルト・ナット３３が等間隔で螺着されると共に、更に所定距離下がった位置の周囲に４本のボルト・ナット３４が等間隔で螺着される。また、上側鋼管３１ａの下端部には、最下端すなわちフランジ３２ａから所定距離上がった位置の周囲に４本のボルト・ナット３５が等間隔で螺着されると共に、更に所定距離上がった位置の周囲に４本のボルト・ナット３６が等間隔で螺着される。上側鋼管３１ａ内に挿入された既設アンテナ取付柱１２は、上側鋼管３１ａの上端部に螺着されたボルト・ナット３３、３４、及び上側鋼管３１ａの下端部に螺着されたボルト・ナット３５、３６を締め付けて固定する。
【００２３】
また、上側鋼管３１ａの外周には、作業用の足場金物３７が複数段例えば６段設けられる。  
下側鋼管３１ｂの下端部には、新設アンテナ取付柱２６の引上げ工程では上記したようにガイド金物２５が装着されるが、引上げ完了後は詳細を図５に示すように重量受け金物４０が装着される。
【００２４】
図５（ａ）は鉄塔１１の支持構体２４に重量受け金物４０を取付けた状態を示す平面図、図５（ｂ）は同側面図、図５（ｃ）は重量受け金物４０のみの側面図である。  
重量受け金物４０は、半円筒状の１対の取付バンド４１、４２からなり、底部外側に床板４３を備えると共に外周部に補強部材４４を設けている。更に、取付バンド４１、４２は、半円状筒部の両側に取付部４５を備えている。上記重量受け金物４０は、底板４６と共に支持構体２４にボルト・ナット４７により固定される。そして、重量受け金物４０は、取付部４５の部分において、ボルト・ナット４８により新設アンテナ取付柱２６を保持する。
【００２５】
次に、放送終了後の夜間におけるアンテナ取付け工事について説明する。  
（１）既設の給電用分岐ケーブルを新しい分岐ケーブル（図示せず）に交換する。
【００２６】
（２）電力分配器１６を既設の分岐ケーブル及び主給電線１５から取り外す。
【００２７】
（３）電力分配器１６を索道（図示せず）により吊り上げて図２（ａ）に示すように鉄塔１１の頂部側面に移設する。
【００２８】
（４）次に、図２（ａ）において、新設アンテナ取付柱２６を仮設架台２１に固定している支持金物２９のボルト・ナットを緩め、新設アンテナ取付柱２６を移動できる状態とする。この状態で、レバーブロック２７ａ、２７ｂにより新設アンテナ取付柱２６を引上げ、新設アンテナ取付柱２６の下端部を支持構体２４の位置まで移動する。このとき新設アンテナ取付柱２６の上端は、図２（ｂ）に示すように仮設架台２１の頂部より所定長さＬ、例えば７０ｃｍ突出し状態となる。
【００２９】
また、新設アンテナ取付柱２６内に挿入されている既設アンテナ取付柱１２は、新設アンテナ取付柱２６の上側鋼管３１ａに設けられているフランジ３２ａに当接しているので、新設アンテナ取付柱２６を引上げた際に同時に引上げられ、既設送信アンテナ１４が所定長さＬ、この例では７０ｃｍ嵩上げされる。この既設送信アンテナ１４を嵩上げすることにより、この既設送信アンテナ１４と鉄塔１１の頂部との間に新しいアンテナを設置する余裕ができる。
【００３０】
（５）上記のように新設アンテナ取付柱２６を既設アンテナ取付柱１２及び既設送信アンテナ１４と共に上方に引上げた状態で、上記支持構体２４に取付けられているガイド金物２５を図５に詳細を示した重量受け金物４０に交換し、新設アンテナ取付柱２６の下端部を支持構体２４に固定する。また、鉄塔１１の頂部においても、支持金物２９のボルト・ナットを締め付けて新設アンテナ取付柱２６を鉄塔１１に固定する。
【００３１】
（６）上記鉄塔１１の頂部側面に移設した電力分配器１６に上記新設の分岐ケーブル及び主給電線１５を接続する。
【００３２】
（７）新設アンテナ取付柱２６から鋼索２８及び足場金物３７を取り外すと共に仮設架台２１からレバーブロック２７ａ、２７ｂを取り外した後、仮設架台２１を撤去する。この仮設架台２１は、索道及びウインチを使用して地上に降ろす。
【００３３】
（８）索道及びウインチを使用し、図３に示すように例えば双ループアンテナ等のデジタル放送用のＴＶ送信アンテナ、すなわち、新設送信アンテナ５０を１面ずつ地上から鉄塔１１の頂部に引上げて新設アンテナ取付柱２６の上部に取付ける。
【００３４】
（９）上記新設アンテナ取付柱２６の上部周囲に所定面数の新設送信アンテナ５０を取付けた後、図示しないが新設送信アンテナ５０に対する分岐給電線及び電力分配器を鉄塔１１の頂部側面に取付ける。そして、上記分岐給電線を新設送信アンテナ５０及び電力分配器に接続すると共に、この電力分配器を主給電線１５に接続する。この場合、既存の主給電線１５に余裕があれば、この主給電線１５を利用して新設送信アンテナ５０への給電を行なうが、主給電線１５に余裕がなければ新たに主給電線を増設する。
【００３５】
（１０）新設アンテナ取付柱２６に取付けてある足場金物３７の取り外し、更には鉄塔１１に取付けた索道やウインチ等の取り外しを行なう。
【００３６】
上記実施形態で示したように既設の鉄塔１１に仮設架台２１を設置した後、この仮設架台２１に既設アンテナ取付柱１２より径の大きい新設アンテナ取付柱２６を取付け、この新設アンテナ取付柱２６の先端部内側に既設アンテナ取付柱１２を挿入し、レバーブロック２７ａ、２７ｂにより上記新設アンテナ取付柱２６を既設アンテナ取付柱１２と共に上方に引上げることで、既設送信アンテナ１４を任意の長さ嵩上げすることができる。そして、上記既設送信アンテナ１４の嵩上げにより、鉄塔１１の頂部と既設送信アンテナ１４との間にアンテナ設置スペースを設けることができ、そのスペースに新設送信アンテナ５０を設置することができる。この場合、新設アンテナ取付柱２６を鉄塔１１の頂部から上方に所定長さ突出させて新設送信アンテナ５０を取付けているので、既設アンテナ取付柱１２に余分な負担を掛けることなく新設送信アンテナ５０を設置することができる。
【００３７】
また、上記実施形態で示したアンテナの取付方法を使用することで、鉄塔１１が高くてクレーン車を使用できない場合、あるいは山間地などクレーン車が進入できないような場所においても、既存の鉄塔１１に新設送信アンテナ５０を追加して設置することができる。
【００３８】
また、昼間時に仮設架台２１の取付けなど送信に影響を与えない準備工事を行なっているので、送信を停止した夜間における工事を短時間で行なうことが可能である。  
なお、昼間時に既設送信アンテナ１４の送信を停止できる状況であれば、上記夜間における工事を昼間時に行なっても良いことは勿論である。
【図面の簡単な説明】
【００３９】
【図１】本発明の一実施形態に係るアンテナの取付方法を示すもので、（ａ）はアンテナ取付工事を開始する前の状態を示す図、（ｂ）はアンテナ取付工事の途中の作業工程を示す図である。
【図２】同実施形態におけるアンテナ取付工事の途中の作業工程を示す図である。
【図３】同実施形態におけるアンテナ取付工事の作業完了後の状態を示す図である。
【図４】同実施形態における新設アンテナ取付柱部分の詳細を示す側面図である。
【図５】（ａ）は同実施形態における鉄塔の支持構体に重量受け金物を取付けた状態を示す平面図、（ｂ）は同側面図、（ｃ）は重量受け金物のみの側面図である。
【符号の説明】
【００４０】
１１…鉄塔、１２…既設アンテナ取付柱、１３…鉄塔の支持構体、１４…既設送信アンテナ、１５…主給電線、１６…電力分配器、２１…仮設架台、２２…重量受け金物、２３…角材、２４…支持構体、２５…ガイド金物、２６…新設アンテナ取付柱、２７ａ、２７ｂ…レバーブロック、２８…鋼索、２９…支持金物、３１ａ…上側鋼管、３１ｂ…下側鋼管、３２ａ、３２ｂ…フランジ、３３〜３６…ボルト・ナット、３７…足場金物、４０…重量受け金物、４１、４２…取付バンド、４３…床板、４４…補強部材、４５…取付部、４６…底板、４７、４８…ボルト・ナット、５０…新設送信アンテナ。
【図１】
2006140939.tif 000003
【図２】
2006140939.tif 000004
【図３】
2006140939.tif 000005
【図４】
2006140939.tif 000006
【図５】
2006140939.tif 000007